(57)【要約】【課題】比較的粗い粒子のダストを含んだ汚染空気を処理する箱型タイプのプレフィルタは、低い圧力損失で且つ長寿命の性能を持った安価なプレフィルタが従来から求められている。そこで、本発明はこれらの問題を解決したものである。【解決手段】本発明は、ろ材と外枠とから構成した箱型タイプのプレフィルタに於いて、対向するろ材面の折り目部を重ねてまたはそのまま熱溶着により、ろ材に使用している接着媒体を溶融して一体固定し、この一体固定した折り目部を空気流の上流側と下流側に配置したものである。【選択図】      図１
2014136179.tif 000002
【特許請求の範囲】
【請求項１】
外枠にろ材をジグザグ状に折り畳んで収納したプレフィルタに於いて、対向するろ材面の折り目部を重ねてまたはそのまま熱溶着により、ろ材に使用している接着媒体を溶融して一体固定し、この一体固定した折り目部を空気流の上流側または下流側または両側に配置したことを特徴とした箱型タイプのプレフィルタ。
【発明の詳細な説明】
【技術分野】
【０００１】
プレフィルタは種々のものがあり、用途によって使い分けがおこなわれている。その一つはガラス繊維や合成繊維からなる不織布を接着媒体で繊維同士を結合させ弾力の優れたマット状シートを形成し、このシートを所定寸法に切断して平板状のろ材として金属製や木製の外枠に収納したパネル型タイプとしたもの、もう一つは、ガラス繊維や合成繊維からなる不織布を接着媒体で繊維同士を結合させ弾力の優れたマット状シートをろ材とし、このろ材をロール状に巻いて装置の上部に装填し、ろ過面を通して下部で巻き取るようにしたロール巻取り式タイプのもの、もう一つは、ガラス繊維や合成繊維からなる不織布を接着媒体で繊維同士を結合させ弾力の優れたマット状シートをろ材としてジグザグ状に折り畳んで、ろ材間に波型セパレータを挟み込んだり、折り畳んだろ材面に網状の補強板を接着一体したり、ろ材間にくし刃を挿入したりして、金属製や木製の外枠に収納した箱型タイプのものなどがある。
そこで、本発明はその中の一つである箱型タイプのプレフィルタの改良に関するものである。
【背景技術】
【０００２】
箱型タイプのプレフィルタは、形状圧損を低く抑え、ろ材面積を広げ、圧力損失を低く寿命を長く維持できるように、ガラス繊維や合成繊維からなる不織布を接着媒体で繊維同士を結合させ弾力の優れたマット状シートをろ材としてジグザグ状に折り畳んで、金属やプラスチックや木製の外枠に収納した箱型タイプとなっている。
【０００３】
しかし、箱型タイプのプレフィルタは、ろ材間隙が崩れて空気の流通路を塞いでしまい、圧力損失が増大し、その結果所望の捕集効率および粉じん保持容量などのフィルタ性能が得られない懸念があり、波型セパレータを挟み込んだり、折り畳んだろ材面に網状の補強板を接着一体したり、ろ材間に複数段のくし刃を挿入したりする必要があった。
【０００４】
さらに、波型セパレータや網状の補強板あるいは複数段のくし刃がろ材の一部と接触しているため空気の流通路を塞いでしまい、目詰まりが次第に増大するため、圧力損失が次第に増加し、目詰まりが一定以上になるとろ過機能が喪失する。その結果、使用開始時からろ過機能喪失に至るまでの期間が短くなってしまう懸念があった。
【０００５】
また、プレフィルタの場合、ろ材が薄いものから厚手のものまであるが、厚手のものはフィルタ折り部がＵ字状となって鋭角にできないため、折り部の間にある空気流入口が狭くなってしまい、空気が流入口でとどまるため、やはり圧力損失が増大し、その結果所望の捕集効率および粉じん保持容量などのフィルタ性能が得られない懸念があった。
【０００６】
さらに、波型セパレータや網状の補強板あるいは複数段のくし刃にかかる材料費や加工費にコストがかかる上、これらをろ材間に組み込む費用がかかり、その結果プレフィルタのコストアップとなってしまう問題があった。
【発明の開示】
【発明が解決しようとする課題】
【０００７】
そこで本発明はこれらの課題を解決しょうとしたもので、本発明の第１の目的は、波型セパレータや網状の補強板あるいは複数段のくし刃を用いることなく、ジグザグ状に折り畳んだろ材の間隔を一定幅に維持できるようにしたものである。
【０００８】
本発明の第２の目的は、ろ材の間隔を一定幅に維持することにより、ろ材間の通気性を良好にし、圧力損失の低いプレフィルタを提供しょうとしたものである。
【０００９】
本発明の第３の目的は、ろ材間の通気性を阻害する波型セパレータや網状の補強板あるいは複数段のくし刃を用いず、ろ材の間隔を一定幅に維持することにより処理風量の大きなプレフィルタを提供しょうとしたものである。
【００１０】
本発明の第４の目的は、有効ろ過面積を維持して、目詰まりによるろ過機能の低下を防止し寿命の長いプレフィルタを提供しょうとしたものである。
【００１１】
本発明の第５の目的は、空気流入側の形状圧損を低くして通気性の良好なプレフィルタを提供しょうとしたものである。
【００１２】
本発明の第６の目的は、ろ材の間隔を一定幅に維持しながら、ろ材をジグザグ状に折り畳む、折り加工の工程を簡単にしたものである。
【００１３】
本発明の第７の目的は、波型セパレータや網状の補強板あるいは複数段のくし刃を用いずコストの安いプレフィルタを提供しょうとしたものである。
【課題を解決するための手段】
【００１４】
本発明の第１の解決手段は、ガラス繊維や合成繊維からなる不織布を接着媒体で繊維同士を結合させ弾力の優れたマット状シートとしたことである。
【００１５】
本発明の第２の解決手段は、このシートを所定寸法に切断し、ろ材シートとして形成したことである。
【００１６】
本発明の第３の解決手段は、前記ろ材シートをジグザグ状に折り畳む際、対向するろ材の折り目部を重ねてまたはそのまま熱溶着により溶融して一体に固定し、折り目部を鋭角にしてかつ強度を持たせたことである。
【００１７】
本発明の第４の解決手段は、ジグザグ状に折り畳み、対向するろ材の折り目部を重ねてまたはそのまま熱溶着により溶融して一体に固定したろ材を、金属やプラスチックや木製の外枠に収納し箱型タイプとしたことである。
【００１８】
本発明の第５の解決手段は、前記ろ材を外枠内面に塗布したシール材で固定したことである。
【００１９】
本発明の第６の解決手段は、重ねて溶融固定したろ材の折り目部サイドのうち一方を空気流の上流側、他方を下流側に配置したことである。
【００２０】
ここで、不織布を構成する合成繊維としては、例えば熱可塑性を有する繊維であるポリエステル繊維、ポリアミド繊維、アクリル繊維、ポリプロピレン繊維、ポリエチレン繊維、ポリウレタン繊維などを使用することができる。またこれらの繊維とポリ塩化ビニリデン繊維、ポリ塩化ビニル繊維やレーヨン、ビスコースなどの再生繊維や炭素繊維、ガラス繊維などの無機繊維などとを混合して使用することができる。
【００２１】
また、構成繊維が複合繊維であることも好ましく、複合繊維を構成する樹脂成分の組み合わせとして、例えば、ポリプロピレン／ポリエチレン、ポリエステル／低融点ポリエステル、ポリプロピレン／低融点ポリプロピレン、ナイロン６６／ナイロン６、ポリエステル／ナイロン６、ナイロン６／ポリエチレン、ポリエステル／ポリプロピレンなどがある。
【００２２】
ろ材に使用する接着媒体はバインダ、溶融繊維あるいは接着パウダーなどが使用される。そしてバインダは有機系バインダ、無機系バインダ又は混合して加えて得られる混合バインダが使用される。なお、好ましくはアクリル樹脂が使用される。溶融繊維は芯鞘構造の繊維などが使用される。さらに接着パウダーとしては軟化点の低い樹脂の粉末などが使用される。
【００２３】
シール材としては、ポリウレタン系接着剤、アクリル樹脂系接着剤、エポキシ樹脂系接着材が使用される。
【００２４】
ろ材の折り目部両サイドを熱溶着する手段は、熱シーラーや超音波シーラーやヒーターやアイロンなどが使用される。
【００２５】
上記課題解決による作用は次の通りである。
【００２６】
まず、空調機の運転によりプレフィルタ内に吸入されるダストを含んだ汚染空気は、ろ材の折り目部上流側から流入し、ろ材を経由して下流側へ流出する。この時、ろ材の折り目部は鋭角に形成されていることから、形状圧損による抵抗が低くスムーズな空気流通が達成される。
【００２７】
さらに、ろ材の折り目部は、対向するろ材の折り目部を重ねてまたはそのまま熱溶着により溶融して一体固定されているので、強度を持ち形状保持機能を有する自立片を形成し、運転時の風圧が加わっても、ろ材がたわむことがない。したがって、ろ材間の通気性を阻害することなく処理風量の大きなプレフィルタとなる。
【００２８】
また、ろ材がたわむことがないから幅広い有効ろ過面積を維持でき、目詰まりによるろ過機能の低下を防止でき寿命の長いプレフィルタとなる。
【００２９】
さらに、幅広い有効ろ過面積を維持したので低い圧力損失でありながら高効率の機能が発揮できる。
【発明の効果】
【００３０】
上述したように本発明のプレフィルタは次のような効果がえられる。
（１）本発明の箱型タイプのプレフィルタは、波型セパレータや網状の補強板あるいは複数段のくし刃を用いることなく、対向するろ材の折り目部を重ねてまたはそのまま熱溶着により溶融して一体固定した強度な形状保持機能を有する自立片で、ろ材の間隔を一定幅に維持できる。
（２）本発明の箱型タイプのプレフィルタは、一方を空気流の上流側に、他方を下流側に配置するように、ろ材の折り目部を鋭角にした構造としたのでろ材間の通気性を阻害することなく処理風量の大きなプレフィルタとなる。
（３）さらに、ろ材の折り目部を鋭角にして強度を持たせているので、運転時の風圧が加わっても、ろ材がたわむことがない。したがって、ろ材間の通気性を阻害することなく処理風量の大きなプレフィルタとなる。
（４）ろ材の間隔を一定幅に維持することにより、ろ材間の通気性を良好にし、圧力損失の低いプレフィルタとなる。
（５）有効ろ過面積を維持して、目詰まりによるろ過機能の低下を防止し寿命の長いプレフィルタとなる。
（６）空気流入側の形状圧損を低くして通気性の良好なプレフィルタとしたものである。
（７）ろ材の間隔を一定幅に維持しながら、ろ材をジグザグ状に折り畳む、折加工を簡単にしたものである。
（８）波型セパレータや網状の補強板あるいは複数段のくし刃を用いずコストの安いプレフィルタとしたものである。
【図面の簡単な説明】
【００３１】
【図１】箱型タイプのプレフィルタの一例を示す概略図。
【図２】図１のろ材を示す概略図。
【発明を実施するための形態】
【００３２】
以下、本発明の実施形態にについて図１、２に基づいて説明する。
【実施例】
【００３３】
１は箱型タイプのプレフィルタを示し、ろ材２と外枠３とから構成されている。そしてろ材２の先端４は、対向するろ材面２Ａと２Ｂの折り目部を重ねてまたはそのまま熱溶着により、ろ材に使用している接着媒体を溶融して一体固定している。これによりろ材２の先端４は、Ｖ字形状に強度を持った形状保持機能を有した自立片として形成される。
【００３４】
本発明の箱型タイプのプレフィルタはこのようなろ材から組み立てられているので、波型セパレータや網状の補強板あるいは複数段のくし刃を使用することなく、ろ材の間隔を一定幅に維持することが可能である上、運転時の風圧が加わっても、ろ材がたわむことがない。
【００３５】
したがって、空気流入側の形状圧損を低くして良好な通気性を可能にし、且つ良好な有効ろ過面積を維持して、目詰まりによるろ過機能の低下を防止すると共に寿命の長い箱型タイプのプレフィルタを達成したものである。
【００３６】
なお、本発明は前記実施形態そのままに限定されるものでなく、実施段階ではその要旨を逸脱しない範囲で構成要素を変形して具体化でき、また前記実施形態に開示されている複数の構成要素の適宜な組み合わせにより種々の変更が可能である。
【産業上の利用可能性】
【００３７】
プレフィルタを扱っている業界においては、低い圧力損失で且つ長寿命の性能を持った安価なプレフィルタを従来から追い求めている。しかし、箱型タイプのプレフィルタは、ジグザグ状に折り畳んだろ材を一定間隔に保持するには、波型セパレータを挟み込んだり、折り畳んだろ材面に網状の補強板を接着一体したり、ろ材間に複数段のくし刃を挿入したりせざるを得ず、構造が複雑である上組み立ても煩雑になって、コストアップにならざるを得なかった。そこで、本発明は従来の部品を使用することなく、低圧損で長寿命且つ安価な箱型タイプのプレフィルタを提供できるようにしたもので、本発明は産業上極めて利用価値の高いものである。
【符号の説明】
【００３８】
１・・・プレフィルタ      ２・・・ろ材        ３・・・外枠
４・・・ろ材の先端      
【図１】
2014136179.tif 000003
【図２】
2014136179.tif 000004